(57)【要約】【課題】シート記録装置の給紙装置において給紙ローラの交換を簡単に行える様にすること。【解決手段】給紙ローラ部３と、給紙ローラ部３の一端側に係合し、給紙ローラ部３を回転する駆動シャフト２３と、給紙ローラ部３の他端側に係合し給紙ローラ部３を駆動シャフト２３と共に回転支持するとアダプター２１と、アダプター２１を給紙ローラ部３側へ付勢するコイルバネ２２と、アダプター２１を駆動シャフト２３の軸線方向にスライド自在に保持する装置本体３０に設けられた保持部２０とを備える給紙装置であって、簡単に給紙ローラ部３の取りつけ、取り外しが行える構成とする。【選択図】図２
2005206312.tif 000002
【特許請求の範囲】
【請求項１】
用紙を給紙する給紙ローラと、前記給紙ローラの一端側に係合し、該給紙ローラを回転する駆動シャフトと、前記給紙ローラの他端側に係合し前記給紙ローラを前記駆動シャフトと共に回転支持する支持部材と、前記支持部材を前記給紙ローラ側へ付勢する弾性部材と、前記支持部材を前記駆動シャフトの軸線方向にスライド自在に保持する装置本体に設けられた保持部とを備えたことを特徴とする給紙装置。
【請求項２】
前記保持部と係合し、該保持部へ前記支持部材を係止する弾性係合部を前記支持部材に設けたことを特徴とする請求項１記載の給紙装置。
【請求項３】
前記保持部は前記弾性係合部をガイドするガイド溝部を有すると共に、該ガイド溝部の前記給紙ローラ側の端部に前記弾性係合部と係合して前記支持部材を係止する第一の係止部を設けたことを特徴とする請求項２記載の給紙装置。
【請求項４】
前記ガイド溝部は、前記支持部材の前記保持部によるスライド領域の一部をガイドする長さとすることを特徴とする請求項３記載の給紙装置。
【請求項５】
前記保持部は前記弾性係合部を係止する前記第一の係止部より前記給紙ローラとは離れた位置に設けられた第二の係止部を設けたことを特徴とする請求項３又は４記載の給紙装置。
【請求項６】
前記弾性部材をコイルバネ形状の部材としたことを特徴とする請求項１記載の給紙装置。
【請求項７】
用紙を給紙する給紙ローラと、前記給紙ローラにより給紙された用紙に印字を行う印字部と、装置本体に設けられ前記給紙ローラの一端側に係合し、該給紙ローラを回転する駆動シャフトと、前記給紙ローラの他端側に係合し前記給紙ローラを前記駆動シャフトと共に回転支持する支持部材と、前記支持部材を前記給紙ローラ側へ付勢する弾性部材と、前記支持部材を前記駆動シャフトの軸線方向にスライド自在に保持する装置本体に設けられた保持部とを有することを特徴とする印字装置。
【請求項８】
前記保持部と係合し、該保持部へ前記支持部材を係止する弾性係合部を前記支持部材に設けたことを特徴とする請求項７記載の印字装置。
【請求項９】
前記保持部は前記弾性係合部をガイドするガイド溝部を有すると共に、該ガイド溝の前記給紙ローラ側の端部に前記弾性係合部と係合して前記支持部材を係止する第一の係止部を設けたことを特徴とする請求項８記載の印字装置。
【請求項１０】
前記ガイド溝部は、前記支持部材の前記保持部によるスライド領域の一部をガイドする長さとすることを特徴とする請求項９記載の印字装置。
【請求項１１】
前記保持部は前記弾性係合部を係止する前記第一の係止部より前記給紙ローラとは離れた位置に設けられた第二の係止部を有した構造としたことを特徴とする請求項８又は９記載の印字装置。
【請求項１２】
前記弾性部材をコイルバネ形状の部材としたことを特徴とする請求項７記載の印字装置。
【発明の詳細な説明】
【技術分野】
【０００１】
本発明は、プリンタやインクジェットプリンタ等に用いられる給紙装置および印字装置に関する。
【背景技術】
【０００２】
従来より、例えば、レーザープリンタの印字装置等の使用による経時変化にともない、給紙ローラのローラ表面が磨耗し給紙ローラの給紙性能が低下し、斜行給紙や、給紙不能などの給紙不具合を生じていた。そこで、給紙ローラをユニット化し、給紙ローラを交換する方式のシート記録装置が多く製品化されている。
【０００３】
ここで、図７から図１０を用いて、従来の交換方式の給紙ローラを用いた給紙装置について説明する。
【０００４】
図７（ａ）は従来の印字装置における給紙装置が備える給紙ローラの斜視図、図７（ｂ）は図７（ａ）の給紙装置が備える給紙ローラの構成図、図７（ｃ）は図７（ａ）の給紙装置が備える給紙ローラの部分断面図、図８は従来の他の給紙装置を示す斜視図、図９は図８の給紙装置の機構説明図、図１０は従来の他の給紙装置を示す図である。
【０００５】
まず、給紙ローラの構成と交換方法について説明する。
【０００６】
図７（ａ）において、５０１は分離部材（図示せず）と協同し用紙収納部に収納された用紙を１枚づつ給紙を行う給紙ローラ部である。更に給紙ローラ部５０１は図７（ｂ）に示すように、ホルダー５０１ｄと該ホルダー５０１ｄの外周に装着したゴム５０１ａと左右に移動可能なアダプター５０１ｂと弾性部材５０１ｃとから構成されている。
【０００７】
そして、シート給紙部５０２に設けた突起部５０２ａと軸受け５０３により支持された駆動伝達の駆動軸５０４により給紙ローラ部５０１を回転自在に支持する構成となっている。
【０００８】
次に、このように構成された従来のシート給紙部５０２における給紙ローラ交換の方法について説明する。交換の際は、給紙ローラ部５０１を図７（ｂ）に示す矢印Ｍ方向（突起部５０２ａ方向）に移動させると、給紙ローラ部５０１の内部に設置された弾性部材５０１ｃが圧縮変形し、給紙ローラ部５０１と駆動軸５０４の間に隙間が形成されて、給紙ローラ部５０１をシート給紙部５０２から取外す事ができる。
【０００９】
また、平滑性の高い用紙を給紙した際に発生する異音を防止する給紙部の構造として、他に図８に示す様なものがあり、この従来の技術についてその構造を説明する。図８は、図７（ａ）に示す給紙部ローラ部５０１と同様の給紙ローラ部を有する給紙装置の斜視図であり、６０１は、ホルダー６０１ｂと該ホルダー６０１ｂの外周に装着したゴム部材のローラ６０１ａと振動を抑制する弾性部材６０１ｃから構成される給紙ローラ部で、駆動を伝達する駆動軸６０２がホルダー６０１ｂを貫通しており、駆動軸６０２に固定されたホルダー６０１ｂと係合するピン６０３、駆動軸６０２に駆動を伝達する駆動ギア部６０４、駆動軸６０２を回転自在に支持する軸受け６０５ａ、及び６０５ｂ、及び軸受け６０５ａ、及び６０５ｂを支持し、給紙ローラ部６０１の側面か弾性部材６０１ｃの厚みより近い位置に壁を有する装置本体６０６及び駆動ギヤ部６０４をカバーする外装６０７から構成されている。詳細には、図９に示すように給紙ローラ部６０１を装置本体６０６に取り付けたとき、ホルダー６０１ｂに設けられた６０１ｃのスポンジ部が装置本体側面６０
１ｄと給紙ローラ６０１の間に生じるガタ等を防止する構成となっているのである。
【００１０】
次にこのように構成された従来の給紙装置における給紙ローラ６０１の交換方法について説明する。交換の際は、図８に示す外装６０７を取外し、その後、軸受け６０５ａ、６０５ｂと駆動ギア部６０４を取り外した後、駆動軸６０２を抜き取る事で給紙ローラ部６０１を取外す事ができる。
【００１１】
また、例えば、特開２００１−２９４３３５号公報には、給紙部をユニット化して交換可能にしたものが開示されている。図１０は、給紙部の交換が行える記録媒体分離搬送装置７００を示したものである。この記録媒体分離搬送装置７００の特徴は、引き込みローラ７０１と分離搬送ローラ７０２の両方をローラ支持部材７１６に設けた分離ローラユニット７２０を給紙部に着脱自在に保持するように構成し、分離ローラユニット７２０を離脱させるだけで引き込みローラ７０１と分離搬送ローラ７０２の両方をローラ支持部材７１６とともに一緒に交換することができるようにしたことにある。
【００１２】
すなわち、引き込みローラ７０１と分離搬送ローラ７０２の両ローラを、分離ローラユニット７２０のフレームを形成している左右一対のローラ支持部材７１６で回動自在に保持支持し、また、画像形成装置本体に設けられた駆動源（図示せず）からの回転駆動力により回転駆動する支持回転軸７１７を備え、伝達ベルト７１８を引き込みローラ７０１と分離搬送ローラ７０２の両ローラの軸間に張架して支持回転軸７１７の回転駆動力を引き込みローラ７０１の回転軸へ伝達するようにしており、分離ローラユニット７２０を、引き込みローラ７０１と分離搬送ローラ７０２とローラ支持部材７１６と伝達ベルト７１８によって構成し、そして、支持回転軸７１７に分離搬送ローラ７０２の軸受け７０２ａを差し込み、分離ローラユニット７２０を、回転軸方向である矢印Ｃ方向へ着脱可能にして給紙部に保持し、そして分離ローラユニット７２０が支持回転軸７１７を中心に記録媒体Ｐを給紙するために矢印Ｅ方向へ回動することにより、引き込みローラ７０１が積層された記録媒体Ｐの最上部に当離接する構成としている。
【特許文献１】特開２００１−２９４３３５号公報（第３−４頁、第３図）
【発明の開示】
【発明が解決しようとする課題】
【００１３】
しかしながら、図７（ｂ）に示すような従来の給紙装置では、給紙ローラ部５０１を記録装置本体５０２取付けた際に、図７（ｃ）に示すように装置本体の突起部５０２ａとアダプター５０１ｂの間、及びホルダー５０１ｄと駆動軸５０４の間（図示せず）にそれぞれ水平方向に隙間Ｓが存在している。その為、平滑性の高い用紙を給紙した際には、給紙ローラ部５０１が振動し、異音が発生するという問題点を有していた。
【００１４】
また、図８に示すような従来の給紙装置では、給紙ローラの交換作業を行う為には、一般のユーザーでは作業が複雑な為、サービスマンの対応が必要となる。更に、駆動軸６０２にピン６０３を装着する必要が有る為、駆動軸６０２に細い穴を加工する必要が有り、製作費用が高くなるという問題点を有していた。
【００１５】
更に、図１０に示すような従来の給紙装置では、給紙部を一体的に構成したローラユニットを交換部材すなわち消耗品として構成した場合には、部品によってはまだ十分に使用可能な状態であっても、一括して交換しなければならず、また、ユニットも部品点数が多くなり交換ユニットが高価になってしまうという問題が生じていた。
【００１６】
本発明は、上記問題点を解決するもので、給紙ローラ部のがたつきを無くすことで、異音の発生を抑制でき、且つ少ない部品点数で給紙ローラ部の交換を容易に行う事ができる給紙装置及び印字装置を提供することを目的とする。
【課題を解決するための手段】
【００１７】
本発明は上記問題を解消する為に、用紙を給紙する給紙ローラと、装置本体に設けられ給紙ローラの一端側に係合し、該給紙ローラを回転する駆動シャフトと、給紙ローラの他端側に係合し給紙ローラを駆動シャフトと共に回転支持する支持部材と、支持部材を給紙ローラ側へ付勢する弾性部材と、支持部材を駆動シャフトの軸線方向にスライド自在に保持する装置本体に設けられた保持部材とを有する構成としたもので、この構成により、支持部材を駆動シャフトの軸線方向に弾性部材の付勢力に反してスライドさせることで、給紙ローラを装置本体から容易に着脱自在とすることが可能になると共に、支持部材を弾性部材により常に給紙ローラ側へ付勢することで、給紙ローラ部のがたつきを無くして異音の発生を防止できる給紙装置及び印字装置が得られる。
【発明の効果】
【００１８】
本発明によれば、用紙を給紙する給紙ローラと、前記給紙ローラの一端側に係合し、該給紙ローラを回転する駆動シャフトと、前記給紙ローラの他端側に係合し前記給紙ローラを前記駆動シャフトと共に回転支持する支持部材と、前記支持部材を前記給紙ローラ側へ付勢する弾性部材と、前記支持部材を前記駆動シャフトの軸線方向にスライド自在に保持する装置本体に設けられた保持部とを備えたことにより、支持部材を介して給紙ローラを着脱自在に取付けると共に支持部材と弾性部材により給紙ローラ部の側面に押圧をかける事により、給紙ローラ部のがたつきを抑え、平滑性の高い用紙を給紙した際の異音を抑制すると共に、給紙ローラの交換を容易に行えるという作用が得られる。
【発明を実施するための最良の形態】
【００１９】
本発明の請求項１に記載の発明は、用紙を給紙する給紙ローラと、給紙ローラの一端側に係合し、該給紙ローラを回転する駆動シャフトと、給紙ローラの他端側に係合し給紙ローラを駆動シャフトと共に回転支持する支持部材と、支持部材を給紙ローラ側へ付勢する弾性部材と、支持部材を駆動シャフトの軸線方向にスライド自在に保持する装置本体に設けられた保持部とを備える給紙装置であって、支持部材を介して給紙ローラを着脱自在に支持することで、給紙ローラ部の交換を容易に行う事ができると共に支持部材と弾性部材により給紙ローラ部の側面に押圧をかける事により、給紙ローラ部のがたつきを抑えることができるという作用を有する。
【００２０】
本発明の請求項２に記載の発明は、請求項１の発明において、保持部と係合し該保持部へ前記支持部材を係止する弾性係合部を支持部材に設けた給紙装置であって、給紙ローラの付勢力を支持部材の弾性係合部によって係止することで装置本体への給紙ローラの取り付け及び、取り外しを行うので、少ない部品点数で給紙ローラの交換を容易に行うことができるという作用を有する。
【００２１】
本発明の請求項３に記載の発明は、請求項２の発明において、保持部は弾性係合部をガイドするガイド溝部を有すると共に、該ガイド溝部の給紙ローラ側の端部に弾性係合部と係合して支持部材を係止する第一の係止部を設けた給紙装置であって、弾性係合部を支持部材の弾性部材の付勢力の反する方向へガイドして支持部材の押圧を係止させるようにしたので、支持部材を介して給紙ローラを脱着自在に支持でき、給紙ローラの交換を容易に行えるという作用を有する。
【００２２】
本発明の請求項４に記載の発明は、請求項３の発明において、ガイド溝部は、支持部材の保持部によるスライド領域の一部をガイドする長さとする給紙装置であって、弾性係合部を支持部材の弾性部材の付勢力の方向へ良好にガイドすることにより、支持部材を介して給紙ローラ脱着自在に支持し、給紙ローラの交換を容易に行えるという作用を有する。
【００２３】
本発明の請求項５に記載の発明は、請求項３又は４の発明において、保持部は弾性係合部を係止する第一の係止部より給紙ローラとは離れた位置に設けられた第二の係止部を設けた給紙装置であって、弾性係合部を支持部材の弾性部材の付勢力に反する方向へガイドして支持部材の押圧を係止させるようにしたので、支持部材を介して給紙ローラを脱着自在に支持し、給紙ローラの交換を容易に行えるという作用を有する。
【００２４】
本発明の請求項６に記載の発明は、請求項１の発明において、弾性部材をコイルバネ形状の部材としたことを特徴とする給紙装置であって、弾性部材と支持部材により給紙ローラの側面に押圧力を与えることにより、給紙ローラ部のがたつきを無くし、異音の発生を抑制できるよという作用を有する。
【００２５】
本発明の請求項７に記載の発明は、用紙を給紙する給紙ローラと、給紙ローラにより給紙された用紙に印字を行う印字部と、装置本体に設けられ給紙ローラの一端側に係合し、該給紙ローラを回転する駆動シャフトと、給紙ローラの他端側に係合し給紙ローラを駆動シャフトと共に回転支持する支持部材と、支持部材を給紙ローラ側へ付勢する弾性部材と、支持部材を前記駆動シャフトの軸線方向にスライド自在に保持する装置本体に設けられた保持部とを有する印字装置であって、支持部材を介して給紙ローラを着脱自在に支持し、給紙ローラ部の交換を容易に行う事ができるという作用を有する。
【００２６】
本発明の請求項８に記載の発明は、請求項７の発明において、保持部と係合し該保持部へ前記支持部材を係止する弾性係合部を支持部材に設けた給紙装置であって、給紙ローラの付勢力を支持部材の弾性係合部によって係止することで装置本体への給紙ローラの取り付け及び、取り外しを行うので、少ない部品点数で給紙ローラの交換を容易に行うことができるという作用を有する。
【００２７】
本発明の請求項９に記載の発明は、請求項８の発明において、保持部は弾性係合部をガイドするガイド溝部を有すると共に、該ガイド溝部の給紙ローラ側の端部に弾性係合部と係合して支持部材を係止する第一の係止部を設けた印字装置であって、弾性係合部を支持部材の弾性部材の付勢力の反する方向へガイドして支持部材の押圧を係止させるようにしたので、支持部材を介して給紙ローラを脱着自在に支持でき、給紙ローラの交換を容易に行えるという作用を有する。
【００２８】
本発明の請求項１０に記載の発明は、請求項９の発明において、ガイド溝部は、支持部材の保持部によるスライド領域の一部をガイドする長さとする印字装置であって、弾性係合部を支持部材の弾性部材の付勢力の方向へ良好にガイドすることにより、支持部材を介して給紙ローラ脱着自在に支持し、給紙ローラの交換を容易に行えるという作用を有する。
【００２９】
本発明の請求項１１に記載の発明は、請求項８又は９の発明において、保持部は弾性係合部を係止する第一の係止部より給紙ローラとは離れた位置に設けられた第二の係止部を有する印字装置であって、弾性係合部を支持部材の弾性部材の付勢力に反する方向へガイドして支持部材の押圧を係止させるようにしたので、支持部材を介して給紙ローラを脱着自在に支持し、給紙ローラの交換を容易に行えるという作用を有する。
【００３０】
本発明の請求項１２に記載の発明は、請求項７の発明において、弾性部材をコイルバネ形状の部材とした印字装置であって、弾性部材と支持部材により給紙ローラの側面に押圧力を与えることにより、給紙ローラ部のがたつきを無くし、異音の発生を抑制できるよという作用を有する。
【００３１】
以下、本発明の実施の形態について図１から図６を用いて説明する。
【００３２】
（実施の形態１）
図１は本発明の一実施の形態における給紙装置を備えた印字装置の構成図、図２は図１の給紙装置における給紙ローラ部の斜視図、図３は図１の給紙装置における給紙ローラ部の拡大斜視図、図４は図１の給紙装置における給紙ローラ部の拡大構成図、図５は図４の給紙ローラ部におけるアダプター部の拡大図、図６は図５の給紙ローラ部取外し時のアダプター部拡大図である。
【００３３】
まず、図１において、用紙収納部のカセット１にセットされた用紙２は、後述する給紙ローラ部３と分離パッド４により１枚ずつ分離され、搬送ローラ５、レジストローラ６などから成る用紙搬送部を経て記録部である感光ドラム７に対向する位置へ到達する。レーザ書込み装置８により感光ドラム７上に潜像を形成し、現像器９により、この潜像をトナーにより可視化して、転写ローラ１０により用紙２上に転写し、その後、定着器１１に搬送してトナーの可視像を定着させる。その後、用紙２は排紙ローラ１２を経て排紙トレイ１３に排紙される。他方両面印字の際は、用紙２が排紙ローラ１２上にある時に、排紙ローラを逆回転させ、用紙２を搬送ローラ１４、１５にて再度レジストローラ６に搬送し、用紙２の裏面に印字を行う。また、用紙２が厚紙の場合には、手差しガイド１６より給紙し、排紙トレイ１７に排紙する。
【００３４】
次に図２から図５を用いて給紙ローラ部３の機構と、取り付け方法及び取り外し方法について詳細に説明する。
【００３５】
図２において、給紙ローラ部３は、対向配置された分離パッド４（図１に図示）と協同して、カセット１に収納された用紙２を１枚づつ分離しながら給紙を行うもので、ゴム部材から成る給紙ローラ３ａを外周に固定したホルダー３ｂから構成されている。
【００３６】
図３において、ホルダー３ｂの一端側には後述する駆動シャフト２３が挿入され、該駆動シャフト２３からの回転駆動力を伝達される孔部３ｃが形成されている。この孔部３ｃは駆動シャフトの挿入部形状に合わせてＤ文字の形状にカットされている。これにより確実に駆動力を給紙ローラ部３へ伝達することができ、給紙ローラ部３をガタツキ無く回転駆動できる。また、図４において、駆動シャフト２３が挿入される一端側とは反対側の端側には、後述するアダプター２１が係合する係合部３ｄが形成されている。２１は、給紙ローラ部３のホルダー３ｂに形成された係合部３ｄと係合して給紙ローラ部３を駆動シャフト２３と共に回転保持する支持部材としてのアダプターである。アダプター２１には、係合部３ｄと係合する孔部２１ｃが形成されている。係合部３ｄはホルダー３ｂから突出した形状であり、孔部２１ｃへ挿入することにより保持される。アダプター２１は、その外周部に弾性係合部としての掛止突起部２１ａが形成されており、給紙装置３０側に設けられた保持部２０は、掛止突起部２１ａをガイドしてアダプター２１を駆動シャフト２３の軸線方向にスライド自在に保持するガイド溝部２６ａを有し、更にアダプター２１は、ガイド穴部２６によっても駆動シャフト２３の軸線方向にスライド自在に保持されている。また、この掛止突起部２１ａは弾性形状になっているために、アダプター２１をガイド穴部２６に装着する際に、弾性変形することにより簡単にガイド部穴２６へ挿入取り付けることが出来る。ガイド溝部２６ａは、アダプター２１のスライド領域より短い長さに形成されており、アダプター２１のスライドにより掛止突起部２１ａのガイドが途中で解除される長さとなっている。また、ガイド溝部２６ａの給紙ローラ部３側は、アダプター２１を矢印Ｈ方向（給紙ローラ部３方向）へ付勢する弾性部材としてのコイルバネ２２によってアダプター２１が付勢された際に、所定以上に駆動シャフト２３側にスライドしないように掛止突起部２１ａと係合して係止する第一の係止部２６ｂが形成されている。即ち、アダプター２１は、給紙ローラ部３を取り付けた状態において、コイルバネ２２による付勢力により、駆動シャフト２３側に押圧されることにより確実に駆動シャフト２３とホ
ルダー３ｂが係合する。ここで、図２に示すように駆動シャフト２３は軸受２４、２５により給紙装置３０に回転自在に支持固定されると共に、駆動ギヤ２７によりシート記録装置本体駆動部から駆動が伝達され、給紙ローラ部３を回転させ、用紙２を給紙する。
【００３７】
図５は、給紙装置のアダプター２１の拡大図で、上述したようにアダプター２１には掛止突起部２１ａが形成されているので、ガイド穴部２６に設けられたガイド溝部２６ａに案内され、アダプター２１の回転を防止している。
【００３８】
ここで、図６を用いて給紙ローラ部３の取外し方法について説明する。
【００３９】
給紙ローラ部３を取外す際は、給紙ローラ部３（図４に図示）をコイルバネ２２の付勢力に反して矢印Ａ方向にスライドさせる。これによりアダプター２１は、掛止突起部２１ａがガイド溝部２６ａに案内され給紙ローラ部３と共にスライドする。その後、アダプター２１の掛止突起部２１ａがガイド溝部２６ａの案内から外れるところまでスライドさせた後、給紙ローラ部３を矢印Ｂ方向に回転させると、掛止突起部２１ａが第一の係止部２６ｂより給紙ローラ部３とは離れた位置のガイド穴部２６に設けられた第二の係止部２６ｃに仮固定され、その結果、図４に示すホルダー３ｂと駆動シャフト２３の間に隙間ができ、給紙ローラ部３の取外しが容易に行える。
【産業上の利用可能性】
【００４０】
本発明は、プリンタやインクジェットプリンタ等に用いられる給紙装置および印字装置に関するものである。
【図面の簡単な説明】
【００４１】
【図１】本発明の一実施の形態における給紙装置を備えた印字装置の構成図
【図２】図１の給紙装置における給紙ローラ部の斜視図
【図３】図１の給紙装置における給紙ローラ部の拡大斜視図
【図４】図１の給紙装置における給紙ローラ部の拡大構成図
【図５】図４の給紙ローラ部におけるアダプター部の拡大図
【図６】図５の給紙ローラ部取外し時のアダプター部拡大図
【図７】（ａ）従来の印字装置における給紙装置が備える給紙ローラの斜視図、（ｂ）（ａ）の給紙装置が備える給紙ローラの構成図、（ｃ）（ａ）の給紙装置が備える給紙ローラの部分断面図
【図８】従来の他の給紙装置を示す斜視図
【図９】図８の給紙装置の機構説明図
【図１０】従来の他の給紙装置を示す図
【符号の説明】
【００４２】
３    給紙ローラ部
３ａ    給紙ローラ
３ｂ    ホルダー
２０    保持部
２１    アダプター
２１ａ    掛止突起部
２２    コイルバネ
２３    駆動シャフト
２６ａ    ガイド溝部
２６ｂ    第一の係止部
２６ｃ    第二の係止部
２７    駆動ギヤ
３０    給紙装置
【図１】
2005206312.tif 000003
【図２】
2005206312.tif 000004
【図３】
2005206312.tif 000005
【図４】
2005206312.tif 000006
【図５】
2005206312.tif 000007
【図６】
2005206312.tif 000008
【図７】
2005206312.tif 000009
【図８】
2005206312.tif 000010
【図９】
2005206312.tif 000011
【図１０】
2005206312.tif 000012